(57)【要約】【課題】収納室を備えた建物において収納室への物品の出し入れ作業を容易に行えるようにする。【解決手段】収納室階床４３の一部４３ａの上方に離間してスキップ床３１が設けられ、床とスキップ床との間に壁１２，１３、１４、４４が設けられ、この壁１２，１３、１４，４４と床４３とスキップ床３１とで囲まれた空間を収納室Ｓ１とする。この収納室Ｓ１は、天井高を約１．０〜１．４ｍ、出入口４５からの奥行きを約２．５ｍ以上とされ、この収納室Ｓ１内に、該収納室Ｓ１内に収納される収納物を移動可能にする収納ワゴン５，５を備える。収納ワゴン５は、出入口４５が設けられた壁４４の収納室Ｓ１側に、且つ出入口４５の側方に配置され、出入口４５が設けられた壁４４に沿って出入口４５内にのみ移動自在なキャスター５２を備え、出入口４５側に移動させて該出入口４５を略閉塞することで収納室Ｓ１の外側から出入口４５を介して内部に物品の出し入れが可能に構成されている。【選択図】　　　　図７
2004100376.tif 000002
【特許請求の範囲】
【請求項１】
床の一部の上方に離間してスキップ床が設けられ、前記床とスキップ床との間に壁が設けられ、この壁と前記床と前記スキップ床とで囲まれた空間は収納室とされ、この収納室を形成する壁に前記収納室への出入口が設けられ、前記収納室は、天井高を約１．０〜１．４ｍ、前記出入口からの奥行きを約２．５ｍ以上とされ、この収納室内に、該収納室内に収納される収納物を移動可能にする収納物移動体を備える収納室構造であって、
前記収納物移動体は、前記出入口が設けられた壁の前記収納室側に、且つ前記出入口の側方に配置され、前記出入口が設けられた壁に沿って前記出入口内にのみ移動自在なキャスターを備え、
前記出入口側に移動させて該出入口を略閉塞することで前記収納室の外側から前記出入口を介して内部に物品の出し入れが可能に構成されていることを特徴とする収納室構造。
【請求項２】
収納室内の床には、前記収納物移動体のキャスターを案内する案内部が設けられていることを特徴とする請求項１記載の収納室構造。
【請求項３】
床の一部の上方に離間してスキップ床が設けられ、前記床とスキップ床との間に壁が設けられ、この壁と前記床と前記スキップ床とで囲まれた空間は収納室とされ、この収納室を形成する壁に前記収納室への出入口が設けられ、前記収納室は、天井高を約１．０〜１．４ｍ、前記出入口からの奥行きを約２．５ｍ以上とされ、この収納室内に、該収納室内に収納される収納物を移動可能にする収納物移動体と、該収納物移動体に連結可能に形成され、連結された収納物移動体を牽引する牽引車とを備えるトレーラが設けられ、
前記牽引車は、前記収納室内で人が座れる本体部と、該本体部下面に設けられ床上を転動するキャスター部とを備え、人が座ることで前記ワゴンを牽引可能であることを特徴とする収納室構造。
【請求項４】
床の一部の上方に離間してスキップ床が設けられ、前記床とスキップ床との間に壁が設けられ、この壁と前記床と前記スキップ床とで囲まれた空間は収納室とされ、この収納室を形成する壁に前記収納室への出入口が設けられ、前記収納室は、天井高を約１．０〜１．４ｍ、前記出入口からの奥行きを約２．５ｍ以上とされ、この収納室内に、該収納室内に収納される収納物を移動可能にする収納物移動体を備える収納室構造であって、
前記収納物移動体は、床上に、物品を載置して前記出入口から奥行き方向に前後に移動自在に構成されてなるとともに、柔軟性を有する長尺の線状部材がループ状に取り付けられ、
ループ状の前記線状部材は、前記収納室の奥行き側の壁の内面に取り付けられた滑車部に掛けられるとともに、その一部が前記出入口近傍若しくは、出入口を介して前記収納室外に延出されていることを特徴とする収納室構造。
【請求項５】
線状部材は、前記収納物移動体に巻き取り自在な巻き取り装置を介して取り付けられていることを特徴とする請求項４記載の収納室構造。
【請求項６】
収納室の床には、前記出入口から奥行き方向に向かって延在し、前記収納物移動体の移動を案内する案内部が設けられていることを特徴とする請求項４または請求項５記載の収納室構造。
【請求項７】
床は前記収納室に隣接して設けられた居室の床を有し、前記出入口が設けられている壁は、前記収納室と前記居室とを仕切る壁であることを特徴とする請求項１〜請求項６のいずれか一項に記載の収納室構造。
【発明の詳細な説明】
【０００１】
【発明の属する技術分野】
本発明は、高さが１．０〜１．４メール程度の収納室を備えた建物に関する。
【０００２】
【背景の技術】
上階（例えば２階）と下階（例えば１階）との間に収納室を備えた建物が知られている（例えば特許文献１参照。）。
この建物では、１階と２階の間に収納室である蔵を有する蔵階が設けられており、収納室の蔵の出入口は、１階と２階とを連絡する階段の踊り場に面して設けられている。そして、この収納室の天井高さ及び出入口の高さを物品の出し入れにそれほど不自由なく利用できる高さ、即ち大人が屈んで作業できる高さとして１．４ｍに設定している。
【０００３】
【特許文献１】
特許第２５４９２４２号公報
【０００４】
【発明が解決しようとする課題】
ところで、上記のような従来の建物では、出入口が１階と２階を連絡する階段の踊り場に面して設けられた収納室の天井高さと前記出入口の高さを大人が屈んで作業できる高さとしているが、屈んだ状態で踊り場から収納室への物品の出し入れ作業は特に長時間行うと作業者に負担がかかるため手間がかかり、より楽な姿勢で物品の出し入れ作業を容易に行いたいという要求がある。
本発明の課題は、収納室を備えた建物において収納室への物品の出し入れ作業を容易に行えるようにすることである。
【０００５】
【課題を解決するための手段】
以上の課題を解決するため、請求項１記載の発明は、例えば図２、図４〜図７に示すように、
床（例えば収納室階床４３）の一部４３ａの上方に離間してスキップ床３１が設けられ、前記床とスキップ床との間に壁（例えば外壁１２，１３、内壁１４、仕切り壁４４）が設けられ、この壁１２，１３、１４，４４と前記床４３と前記スキップ床３１とで囲まれた空間は収納室Ｓ１とされ、この収納室Ｓ１を形成する壁（例えば仕切り壁４４）に前記収納室Ｓ１への出入口４５が設けられ、前記収納室Ｓ１は、天井高を約１．０〜１．４ｍ、前記出入口４５からの奥行きを約２．５ｍ以上とされ、この収納室Ｓ１内に、該収納室Ｓ１内に収納される収納物を移動可能にする収納物移動体（例えば収納ワゴン５，５）を備える収納室構造であって、
前記収納物移動体５は、前記出入口４５が設けられた壁４４の前記収納室Ｓ１側に、且つ前記出入口４５の側方に配置され、前記出入口４５が設けられた壁４４に沿って前記出入口４５内にのみ移動自在なキャスター５２を備え、
前記出入口４５側に移動させて該出入口４５を略閉塞することで前記収納室Ｓ１の外側から前記出入口４５を介して内部に物品の出し入れが可能に構成されていることを特徴とする。
【０００６】
ここで、収納物移動体は、前記収納室に収納される収納物（物品）を移動可能とするものであればどのように構成されてもよく、例えば物品を載置する棚を備え、この棚に物品を載置することで前記物品を収納するキャビネット等の収納家具にキャスタが設けられたものでもよいし、またワゴン、上面で物品を載置可能な台車であってもよい。なお、収納物移動体の本体部分がキャビネットや、収納物移動体自体がワゴンである場合、収納物を吊り下げて収納するように構成されてもよい。また、前記床４３とスキップ床３１とで形成される前記収納室Ｓ１の天井高さが約１．０メートルから１．４メートルであることとは、平均的な身長の大人が例えば腰や頭を少し低くした状態で、あるいは椅子に座った状態等で収納室Ｓ１内で、物品の出し入れ作業を行える高さとなっていることである。
【０００７】
請求項１記載の発明によれば、天井高が約１．０ｍ〜１．４ｍ、出入口からの奥行きが２．５ｍ以上の収納室Ｓ１内に、前記出入口４５が設けられた壁４４の前記収納室Ｓ１側に、且つ前記出入口４５の側方に配置され、前記出入口４５が設けられた壁４４に沿って前記出入口４５内にのみ移動し、前記出入口４５側に移動させて該出入口４５を略閉塞することで前記収納室Ｓ１の外側から前記出入口４５を介して内部に物品の出し入れが可能に構成されている収納物移動体を備えるので、平均的な身長の大人が例えば腰や頭を少し低くした状態で出入口を介して物品の出し入れを行われる大きさの収納室に、物品を収納する際に、前記収納物移動体５を前記出入口を略閉塞するように移動させることで、出入口４５の外側から出入口４５を介して前記収納物移動体に物品の出し入れを容易に行うことができる。つまり、収納室Ｓ１に物品を搬入あるいは、収納室Ｓ１から物品を搬出する際に、頭や腰などを低くすることなく、楽な姿勢で容易に行うことができる。
【０００８】
請求項２記載の発明は、請求項１記載の収納室構造において、例えば図５及び図７に示すように、
収納室Ｓ１内の床４３ａには、前記収納物移動体５のキャスター５２を案内する案内部（例えば、案内溝部５６）が設けられていることを特徴とする。
【０００９】
請求項２記載の発明によれば、前記出入口４５が設けられた壁４４の前記収納室Ｓ１側に、且つ前記出入口４５の側方に配置され、前記出入口４５が設けられた壁４４に沿って前記出入口４５内にのみ移動する前記収納物移動体５の備えるキャスター５２を円滑に案内することができ、つまりは前記収納物移動体の移動を円滑に案内することができる。
【００１０】
請求項３記載の発明は、例えば、図２，図４，図８及び図１１に示すように、床（例えば収納室階床４３）の一部４３ａの上方に離間してスキップ床３１が設けられ、前記床とスキップ床との間に壁（例えば外壁１２，１３、内壁１４、仕切り壁４４）が設けられ、この壁１２，１３、１４，４４と前記床４３と前記スキップ床３１とで囲まれた空間は収納室Ｓ３とされ、この収納室Ｓ１を形成する壁（例えば仕切り壁４４）に前記収納室Ｓ１への出入口４５が設けられ、前記収納室Ｓ３は、天井高を約１．０〜１．４ｍ、前記出入口４５からの奥行きを約２．５ｍ以上とされ、この収納室Ｓ３内に、該収納室Ｓ３内に収納される収納物を移動可能にする収納物移動体（例えば、収納ワゴン７）と、該収納物移動体７に連結可能に形成され、連結された収納物移動体７を牽引する牽引車８とを備えるトレーラ６が設けられ、
前記牽引車８は、前記収納室Ｓ３内で人が座れる本体部８１と、該本体部８１下面８１ａに設けられ床上を転動するキャスター部８２とを備え、人が座ることで前記ワゴン７を牽引可能であることを特徴とする。
【００１１】
ここで、収納物移動体は、前記収納室に収納される収納物（物品）を移動可能とするものであれば、どのように構成されてもよく、例えば物品を載置する棚を備え、この棚に物品を載置することで前記物品を収納するキャビネット等の収納家具にキャスタが設けられたものでもよいし、またワゴン、上面で物品を載置可能な台車であってもよい。なお、収納物移動体の本体部分がキャビネットや、収納物移動体自体がワゴンである場合、収納物を吊り下げて収納するように構成されてもよい。
【００１２】
請求項３記載の発明によれば、天井高を平均的な身長の大人が例えば腰や頭を少し低くした状態で、あるいは椅子に座った状態等で物品の出し入れ作業を行える高さである約１．０〜１．４ｍとされ、前記出入口４５からの奥行きを約２．５ｍ以上とされた収納室Ｓ３内に、該収納室Ｓ３内に収納される収納物を移動可能にする収納物移動体７と、該収納物移動体７に連結可能に形成され、人が座ることで前記ワゴン７を牽引可能である牽引車８とを備えるトレーラ６が設けられているので、前記収納室Ｓ３内において作業者は牽引車８に座って床を蹴ることで、牽引車８を移動させることができ、これにより牽引車８により連結された前記収納物移動体７を移動させることができる。
つまり、前記収納室Ｓ３内において収納された物品を作業者は前記牽引車８に座った状態、つまり楽な姿勢の状態で移動させることができ、前記収納室Ｓ３の出入口４５まで前記収納物移動体７を牽引車８で牽引することにより前記収納室Ｓ３内外の物品の出し入れも容易に行うことができる。
【００１３】
請求項４記載の発明は、例えば、図２、図４、図１２〜図１５に示すように、床（例えば収納室階床４３）の一部４３ａの上方に離間してスキップ床３１が設けられ、前記床とスキップ床との間に壁（例えば外壁１２，１３、内壁１４、仕切り壁４４）が設けられ、この壁１２，１３、１４，４４と前記床４３と前記スキップ床３１とで囲まれた空間は収納室Ｓ４とされ、この収納室Ｓ４を形成する壁（例えば仕切り壁４４）に前記収納室Ｓ４への出入口４５が設けられ、前記収納室Ｓ４は、天井高を約１．０〜１．４ｍ、前記出入口４５からの奥行きを約２．５ｍ以上とされ、この収納室Ｓ４内に、該収納室Ｓ４内に収納される収納物を移動可能にする収納物移動体（例えば、台車９）を備える収納室構造であって、前記収納物移動体９は、床４３ａ上に、物品を載置して前記出入口４５から奥行き方向に前後に移動自在に構成されてなるとともに、柔軟性を有する長尺の線状部材（例えばロープ９１）がループ状に取り付けられ、
ループ状の前記線状部材９１は、前記収納室Ｓ４の奥行き側の壁（例えば外壁１２）の内面に取り付けられた滑車部９２に掛けられるとともに、その一部９１ｊが前記出入口４５近傍若しくは、出入口４５を介して前記収納室Ｓ４外（例えば、台所部分４１ａ）に延出されていることを特徴とする。
【００１４】
ここで、収納物移動体は、前記収納室に収納される収納物（物品）を載置可能に構成され、かつ物品を載置した状態で移動可能とするものであればどのように構成されてもよく、例えば物品を載置する棚を備え、この棚に物品を載置することで前記物品を収納するキャビネット等の収納家具にキャスタが設けられたものでもよいし、またワゴン、上面で物品を載置可能な台車であってもよい。なお、収納物移動体の本体部分がキャビネットや、収納物移動体自体がワゴンである場合、収納物を吊り下げて収納するように構成されてもよい。
【００１５】
請求項４記載の発明によれば、天井高を平均的な身長の大人が例えば腰や頭を少し低くした状態で、あるいは椅子に座った状態等で収納室Ｓ４内で、物品の出し入れの作業を行える高さである約１．０〜１．４ｍとされ、前記出入口４５からの奥行きを約２．５ｍ以上とされた収納室Ｓ４内に備えられた前記収納物移動体が、床４３ａ上に、物品を載置して前記出入口４５から奥行き方向に前後に移動自在であり、前記収納室Ｓ４の奥行き側の壁（例えば外壁１２）の内面に取り付けられた滑車部９２に掛けられるとともに、その一部９１ｊが前記出入口４５近傍若しくは、出入口４５を介して前記収納室Ｓ４外に延出されているとともに柔軟性を有する長尺の線状部材９１がループ状に取り付けられているので、前記線状部材９１の一部９１ｊにおいて、滑車部９２に掛けられた側の部分を出入口側に引っ張る、つまり手繰ることで前記収納物移動体９を前記出入口から離間する方向に移動させることができるとともに、前記滑車部９２に掛けられていない側の線状部材部分を出入口側に引っ張る、つまり手繰ることで、前記収納物移動体９を前記出入口側に移動させることができる。
【００１６】
したがって、前記線状部材の一端部９１ｊは前記出入口４５近傍若しくは、出入口４５を介して前記収納室Ｓ４外に延出されていることから作業者は出入口４５の外から前記線状部材９１の一部９１ｊを介して収納物移動体９の移動を操作することができ、頭や腰を低くして前記出入口を介して前記収納室への物品の出し入れ作業を行う必要がなく、前記出入口近傍若しくは収納室の外から、収納物移動体９を介して収納室Ｓ４への物品の出し入れを楽な姿勢で容易に行うことができる。
【００１７】
つまり、収納室Ｓ４に出入口４５を介して物品を収納する場合は、前記線状部材の一部９１ｊを介して前記収納物移動体９を前記出入口４５近傍まで移動させ、前記収納室Ｓ４の外から前記出入口４５を介して物品を前記収納物移動体９に載せた後、前記線状部材９１の一部９１ｊを介して収納物移動体９を前記出入口から離間させ、すなわち収納室の奥行きに移動させることで前記物品を収納室内に移動させて収納することができる。よって、物品を持って頭や腰を低くした状態で収納室に入る必要がなく、楽な姿勢で物品を前記収納室Ｓ４内に収納することができるものとなる。なお、物品を載せて収納室内に移動させた収納物移動体上の物品を前記収納室内で降ろしてもよい。
【００１８】
また、収納室Ｓ４内に収納された物品を前記収納室外に出入口４５を介して搬出する際には、前記収納物移動体９に物品が乗った状態であれば、前記線状部材９１の一部９１ｊを操作して収納物移動体９を出入口４５近傍若しくは出入口４５の外まで移動させることで、前記物品を前記収納室Ｓ４から搬出することができ、前記収納室Ｓ４内の収納物移動体に物品が乗っていない場合には、収納室内において物品を収納物移動体に載せて、前記線状部材９１の一部９１ｊを同様に操作することで、物品の搬出を容易に行うことができる。
【００１９】
請求項５記載の発明は、請求項４記載の発明において、例えば図１２〜図１５に示すように、
線状部材９１は、前記収納物移動体９に巻き取り自在な巻き取り装置９６，９７を介して取り付けられていることを特徴とする。
【００２０】
請求項５記載の発明によれば、線状部材９１は、前記収納物移動体９に巻き取り自在な巻き取り装置９６，９７を介してループ状に取り付けられているので、
前記巻き取り装置９６，９７により前記線状部材９１を巻き取ることで、前記収納物移動体９を収納室外などにおいて物品を載せて運搬するものとして利用することができる。
【００２１】
請求項６記載の発明は、請求項４または請求項５記載の収納室構造において、例えば、図１２及び図１３に示すように、
収納室Ｓ４の床には、前記出入口４５から奥行き方向に向かって延在し、前記収納物移動体９の移動を案内する案内部（例えば、案内溝４９）が設けられていることを特徴とする。
【００２２】
請求項６記載の発明によれば、前記開口部から奥行き方向に移動する収納物移動体９の移動をより円滑に行うことができる。
【００２３】
請求項７記載の発明は、請求項１〜請求項６のいずれか一項に記載の収納室構造において、例えば、図２、図４〜図７に示すように、
床は前記収納室Ｓ１に隣接して設けられた居室（例えば収納室階居室４１）の床を有し、前記出入口４５が設けられている壁４４は、前記収納室Ｓ１と前記居室４１とを仕切る壁４４であることを特徴とする。
【００２４】
請求項７記載の発明によれば、床は前記収納室Ｓ１に隣接して設けられた居室（例えば収納室階居室４１）の床を有し、前記出入口４５が設けられている壁４４は、前記収納室Ｓ１と前記居室４１とを仕切る壁４４であるので、前記居室４１から前記出入口４５を介して前記収納室Ｓ１への物品の出し入れを楽な姿勢で容易に行うことができる。
【００２５】
【発明の実施の形態】
以下、図を参照して本発明の実施の形態を詳細に説明する。
〔第１の実施の形態〕
図１〜図４は、本発明に係る収納室構造を備える建物の一例を示すものであり、この建物は、１階と２階の間に収納室を有する階層を備える。
【００２６】
図１〜図４に示す建物は、壁や床、屋根といった構成要素を予め工場にてパネル化しておき、施工現場でこれらのパネルを組み立てることにより、住宅を構築するといったパネル工法で構築されたものである。
【００２７】
まず、この建物の間取りについて説明する。なお、ここではバルコニー４７が設けられた外壁面側を建物１の正面側とする。
図１に示すように、建物１の１階２には、建物１の正面側の外壁１１に沿って和室２１が配置され、この和室２１に隣接して１階居室２２が配置されている。
また、和室２１の奧側には玄関２３が配置され、この玄関２３の奧側には浴室２４、洗面所（水回り設備を備えた室）２５が配置されている。
【００２８】
また、洗面所２５と玄関２３の玄関ホール２３ａの右側には、前後方向に延在し、一端部が建物１の背面側の外壁１２に突き当たるとともに、他端部が１階居室２２に接続された第１廊下２６が配置されている。
さらに、この第１廊下２６の右側には、収納室階４の収納室階居室４１に至る下階段２７が配置され、第１廊下２６の一端部には、第１廊下２６に直交し、背面側の外壁１２に沿う第２廊下２８が接続されている。この第２廊下２８は第１廊下２６の一端部から右側に向かって延在し、基端部分で下階段２７の上り口を構成するとともに、先端部は建物１の背面側の右隅に配置された便所（水廻設備を備えた室）２９に突き当たっている。
【００２９】
そして、これら１階２の上部には、図２に示すように収納室Ｓ１，Ｓ２を有する収納室階４が配置され、この収納室階４では収納室Ｓ１，Ｓ２に隣接して台所４１ａを含む収納室階居室４１が配置されている。
収納室階居室４１は、収納室階４において、建物１の正面側と背面側とを２つに分けるように正面側に左右に延在して配置されている。
そして、建物１の正面側に外壁１１に３つの引違い窓４１ｂ，４１ｃ，４１ｄが設けられ、中央と右側の窓４１ｃ，４１ｄを介して収納室階居室４１から外壁面に設けられたバルコニー４７に往き来自在となっている。
また、収納室階居室４１では、左側の外壁１３の内壁面に沿ってシステムキッチン４１１が配置されており、これにより収納室階居室４１の左側の領域、すなわち、収納室Ｓ１に前面側で隣接する領域を台所４１ａとして利用できるようになっている。
この収納室階居室４１の奧側には、２つの収納室Ｓ１，Ｓ２の間に２階に至る上階段４２が設けられている。
【００３０】
この収納室階居室４１と収納室Ｓ１，Ｓ２とは、同一の床レベル（図４では収納室Ｓ１の床４３ａレベルと収納室階居室４１の床レベルとを示す）となっており、これら収納室Ｓ１，Ｓ２と収納室階居室４１の床を構成する収納室階４の収納室階床４３は複数の床パネルを連結することで構成されている。
また、収納室階４の収納室階床４３は、複数の壁パネルを連結することで構成された下階の外壁間に亙って設けられており、これにより建物１の水平構面を構成している。
また、収納室階４の収納室階床４３における収納室Ｓ１，Ｓ２の床４３ａ，４３ｂの上方には、図４に示すように、この床４３ａより１．１ｍ〜１．６ｍ高いスキップ床３１が設けられている、このスキップ床３１は対向する壁間に設けられている。
詳細には、スキップ床３１は、厚みを約１００ｍｍ〜２０ｍｍとし、その上面から収納室階４の収納室階床４３の上面までの高さを約１．１ｍ〜１．６ｍとされている。
【００３１】
スキップ床３１と、収納室Ｓ１，Ｓ２の床４３ａ，４３ｂとの間には、住宅の外壁１３、１２、１６、内壁１４、１５、仕切り壁４４，４６等が設けられており、外壁１２、１３、内壁１４、仕切り壁４４とで囲まれた空間が収納室Ｓ１とされ、外壁１２、１６、内壁１５、仕切り壁４６とで囲まれた空間が収納室Ｓ２とされている。外壁１２，１３，１６、内壁１４，１５、仕切り壁４４，４６は建物の躯体を構成するものであるので、躯体を構築する際に既に設けられており、スキップ床３１はこれら外壁１３、１２、１６、内壁１４、１５、仕切り壁４４，４６等間に、収納室階床４３と略平行に床パネルを設けることによって、容易に構築できる。
【００３２】
また、それぞれの収納室Ｓ１，Ｓ２を仕切る仕切り壁４４，４６には、それぞれ収納室Ｓ１，Ｓ２の出入口４５，４６ａがそれぞれ形成され、この出入口４５，４６ａを介して隣接する収納室階居室４１から出入り可能となっている。そして、このように構成された収納室Ｓ１，Ｓ２はそれぞれ天井高約１．０ｍ〜１．４ｍで且つ出入口４５，４６ａからの奥行きの長さが２．５ｍ以上となっている。なお、出入口４６は引戸４６ａにより開閉自在となっている。
【００３３】
収納室Ｓ１は、１階の浴室２４、洗面所２５及び玄関２３の上方に配置され、収納室Ｓ２は１階の便所２９、１階居室２２の奧側部分２２ａ、つまり便所２９と隣接する領域２２ａの上方に配置されたものとなっている。
このように、収納室階４の収納室Ｓ１は浴室２４、洗面所２５等のように、一般に天井高がほぼ一定でそれ以上高くする必要のない水回り設備を備えた室の上に配置され、また、収納室Ｓ２は、一般に天井高がほぼ一定でそれ以上高くする必要のない便所２９などの水回り設備を備えた室の上に配置されているので、これら収納室Ｓ１，Ｓ２の上の２階の階高、詳細には、２階居室３２，３３に大きな影響を及ぼすことがないものとなっている。
さらに収納室Ｓ１，Ｓ２は、図３に示すように、その上部に、スキップ床３１を床とする２階の居室３２，３３（図３参照）がそれぞれ設けられている。
【００３４】
ここで収納室Ｓ１の構造について説明する。
収納室Ｓ１内には、図５に示すように、出入口４５が設けられた仕切り壁４４の収納室Ｓ１側に、且つ出入口４５の両脇の仕切り壁４４部分に、収納室Ｓ１に収納される物品を収納するワゴン（収納物移動体）５が配置されている。
これら収納ワゴン５，５は、図６及び図７に示すように、仕切り壁４４側に開口する矩形箱状に形成され、左右に長い内部に物品を収納可能な本体部５１と、本体部５１の下面に取り付けられたキャスター５２とを備える。
本体部５１内には、内部空間を左右に仕切る仕切り板５３が設けられ、左側の空間の上部には、前後方向にスライド自在に取り付けられ、上方から内部に物品を収納可能な網かご部５４が設けられている。
【００３５】
また、右側の空間は段板５５により上下二段に仕切られたものとなっている。なお、段板５５上には米びつ５７等を載置する。
キャスター５２は、左右方向にのみ移動可能に構成されたものであり、本体部５１下面の四隅にそれぞれ取り付けられている。
このキャスター５２により収納ワゴン５は、図７に示すように、出入口４５を形成し且つ対向する仕切り壁４４部分の端辺部４４ａ，４４ｂから、仕切り壁４４に沿って出入口４５内にのみ移動するものとなっており、出入口４５側に移動させて該出入口４５を閉塞した際に、収納室Ｓ１の外側から出入口４５を介して本体部５１内への物品の出し入れが可能となっている。
【００３６】
また、収納室Ｓ１内の床には、収納ワゴン５，５のキャスター５２を案内する案内溝部（案内部）５６が、仕切り壁４４に沿って収納室Ｓ１側の床部分に出入口４５を横断するように設けられ、この案内溝部５６に沿ってキャスター５２が転動することで収納ワゴン５，は左右方向、すなわち、出入口４５の脇から仕切り壁４４に沿って出入口４５内にそれぞれ円滑に移動可能となっている。
【００３７】
上階段４２は、その上り口が下階段２７の降り口と隣接するように設けられ、収納室Ｓ１，Ｓ２上の２階の２階居室３２，３３への往き来を可能とするものである。
【００３８】
２階３は、勾配天井を有し、図３に示すように、建物１の背面側の外壁１２に沿って、収納室Ｓ１，Ｓ２の真上に配置された２つの２階居室３２，３３と、これら２つの２階居室３２，３３の間に挟まれ、上階段４２に接続された上廊下部３４と、上廊下部３４の背面側に隣接配置された押入３５などとが配置されている。
【００３９】
これら２つの２階居室３２，３３の床部（スキップ床）３１には、上下方向に貫通し、真下の収納室に連通する開口部３２ａ，３３ａがそれぞれ設けられている。なお、これら開口部３２ａ，３３ａには該開口部３２ａ，３３ａを閉塞する蓋材３２ｂ，３３ｂが、床部（スキップ床）３１と略面一となるように着脱可能に取り付けられている。
このように、２階の２階居室３２，３３の床部３１に開口部３２ａ，３３ａが形成されているので、これら開口部３２ａ，３３ａを通して、２階３の居室３２，３３と収納室階４の収納室Ｓ１，Ｓ２との往き来や、２階の居室３２，３３から収納室Ｓ１，Ｓ２に対して物品の出し入れを容易に行うことができるものとなっている。
【００４０】
また、２階居室３２を仕切る左側の外壁１３の外壁面にはバルコニー３２ｃが取り付けられている（図３参照）。さらに、２階居室３２には、その前面側に２階居室３２の上方と連通し且つ、収納室階居室４１の左側の領域（ここでは収納室階居室４１における台所４１ａ領域）の真上部分に配置された収納部３６が配置されている。この収納部３６は２階居室３２と框３７で仕切られ、２階居室３２のロフトを形成している（図３参照）。
このように２階居室３２に隣接して、該２階居室３２の上方と連通し且つ収納室階居室４１の真上に収納部３６が配置されているので、収納部３６の底面は２階居室３２の床部（スキップ床）３１よりも上方に位置するものとなっており、これにより、収納室階の収納室階床４３から収納部３６の底面までの収納室階居室４１の天井高を確保しつつ、収納室階居室４１の上方の天井部分のデッドスペースの一部を２階居室３２の収納部３６として利用したものとなっており、建物１内空間を有効活用したものとなっている。
【００４１】
また、この収納部３６の前面側には、収納部３６に隣接し、且つ外壁１１との間に上階の天井まで吹き抜ける吹き抜け空間Ｆ１が形成されている。
また２階居室３２，３３のうちの右側の上階居室３３と上階段４２の前面側には、上階の天井まで吹き抜けた吹き抜け空間Ｆ２が設けられており、収納室階居室４１と連通している。
【００４２】
上述したように構成された上記建物１では、天井高が約１．０ｍ〜１．４ｍ、出入口からの奥行きが２．５ｍ以上の収納室Ｓ１内に、出入口４５が設けられた壁４４の収納室Ｓ１側に、且つ出入口４５の側方に配置され、出入口４５が設けられた壁４４に沿って出入口４５内にのみ移動し、出入口４５側に移動させて該出入口４５を略閉塞することで収納室Ｓ１の外側から出入口４５を介して内部に物品の出し入れが可能に構成されている収納ワゴンを備えるので、平均的な身長の大人が例えば腰や頭を少し低くした状態で出入口を介して物品の出し入れ作業を行われる大きさの収納室に、物品を収納する際に、収納ワゴン５を出入口を略閉塞するように移動させることで、出入口４５の外側から出入口４５を介して収納ワゴンに物品の出し入れを容易に行うことができる。つまり、収納室Ｓ１に物品を搬入あるいは、収納室Ｓ１から物品を搬出する際に、頭や腰などを低くすることなく、楽な姿勢で容易に行うことができる。
【００４３】
また、出入口４５が設けられた壁４４の収納室Ｓ１側に、且つ出入口４５の側方に配置され、出入口４５が設けられた壁４４に沿って出入口４５内にのみ移動する収納ワゴン５の備えるキャスター５２を円滑に案内することができ、つまりは収納ワゴン５の移動を円滑に案内することができる。
【００４４】
また、床４３は収納室Ｓ１に隣接して設けられた収納室階居室４１の台所４１ａの床を有し、出入口４５は収納室Ｓ１と収納室階居室４１とを仕切る壁４４であるので、台所４３ａから出入口４５を介して収納室Ｓ１への物品の出し入れを楽な姿勢で容易に行うことができる。
【００４５】
なお、前記収納ワゴン５は、前記収納室に収納される物品を移動可能とするものであればどのように構成されてもよく、例えば物品を載置する棚を備え、この棚に物品を載置することで前記物品を収納するキャビネット等の収納家具にキャスタが設けられたものでもよいし、また、上面で物品を載置可能な台車であってもよい。なお、収納物移動体の本体部分がキャビネットや、収納物移動体自体がワゴンである場合、収納物を吊り下げて収納するように構成されてもよい。
【００４６】
〔第２の実施の形態〕
図８に本発明に係る収納室Ｓ３構造では、収納室Ｓ３と、該収納室Ｓ３内に配置されたトレーラ６とを備える。
この収納室Ｓ３は第１の実施の形態の建物１において、収納室Ｓ１の床部分４３ａに形成された案内溝部５６を有しない点を除き、上述した収納室Ｓ１と略同様に構成されている。つまり、この収納室Ｓ３は　収納室階床４３の一部４３ｃの上方に離間してスキップ床３１が設けられ、前記床とスキップ床との間に外壁１２，１３、内壁１４、仕切り壁４４が設けられ、この壁１２，１３、１４，４４と前記床４３と前記スキップ床３１とで囲まれた空間である。そして、この収納室Ｓ１を形成する仕切り壁４４に前記収納室Ｓ３への出入口４５が設けられ、前記収納室Ｓ３は、天井高を約１．０〜１．４ｍ、前記出入口４５からの奥行きを約２．５ｍ以上とされたものとなっている。そして、この収納室Ｓ３内に配置されたトレーラ６は、収納室Ｓ３に収納される物品を収納し、移動可能な収納ワゴン（収納物移動体）７と、該収納ワゴン７に連結可能に形成され、連結された収納ワゴン７を牽引する牽引車８とを備える。
【００４７】
収納ワゴン７は、図９に示すように、正面側に開口した箱状に形成されてなり、左右の側板７１，７２と、左右の側板７１，７２の上下端部間にそれぞれ架設された長尺な底板７３及び上板７４と、左右の側板７１，７２間に奧側の辺部に沿って取り付けられるとともに底板７３及び上板７４間に架設された背板７５と、底板７３及び上板７４の間でそれぞれと平行に配置され、左右の側板７１，７２間に着脱自在に取り付けられた棚板７６と、底板７３の下面に取り付けられたキャスタ７７と、底板７３の両端部に取り付けられ、他のワゴン７及び牽引車８と連結可能な連結金具７８等とを備え、高さは収納室Ｓ３より低く、収納室Ｓ３内を自由に移動可能な高さであり、例えば、約８６５ｍｍとなっている。
【００４８】
側板７１，７２の上端部７１ａ，７２ａはそれぞれ上板７４の上面７４ａより上方に突出し、上板７４上に物品を載置した際に該物品の落下を防止する。
上板７４の奥行きは底板７３の奥行きよりも短く構成され、棚板７６は底板７３と略同形に形成されてなり、左右の側板７１，７２間に着脱自在に取り付けられて支持されている。
【００４９】
上板７４の奥行きが底板７３、つまりは棚板７６の奥行きよりも短く構成されているので、棚板７６の前方部分における上方（図９（ｂ）及び図１１で示す空間Ｋが開放されることになり、その開口された空間を利用して棚板７６上に物品を載置しやすいようになっている。
なお、棚板７６の側板７１，７２への取り付け構造は、図示しないが、ピン材を左右の側板の内面の対向する位置に突出した状態でそれぞれ取り付け、これらピン材上に棚板７６を架設するようにしている。すなわち、このピン材の取り付け箇所を底板及び上板間における側板の所定箇所に取り付けるように構成することで、棚板７６は収納ワゴン７本体内において上下方向の所定の箇所に配置できるようになっている。
【００５０】
キャスタ７７は収納室Ｓ３床面４３ｃを全方向に転動自在な車輪を備え、これにより収納ワゴン７は３６０°いずれの方向にも移動可能となっている。
連結金具７８は、底板７３の左右端部７３ａに、該底板７３から側方に延在して回動自在に取り付けられた長尺の基部７８ａと、基部７８ａの先端部から該基部７８ａの延在方向と直交する方向に左右に突出する突片部７８ｂ，７８ｂとからＴ字状に形成されてなる。そして、収納ワゴン７どうしは、互いの連結金具７８を対向配置して、突片部７８ｂ向かい合わせた状態で、基部７８ａと突片部７８ｂとの接合部分に、例えば紐などの一つの環状部材をそれぞれに掛けることで連結されている。
【００５１】
牽引車８は、図１０に示すように、収納室Ｓ３内で人が座れる本体部８１と、該本体部８１下面８１ａに設けられ床（主に床部分４３ｃ）上を転動するキャスター部８２とを備え、人が座ることで連結された収納ワゴン７を牽引可能となっている。
本体部８１は、水平に上下に離間して配置された底板８１１及び上板８１２と、底板８１１上に立設され上端で上板８１２を支持する平面視Ｈ状の支持板部８１３とを備える。
【００５２】
底板８１１の一端部８１１ａの下面には、キャスター部８２ととともに、環状の線状部材８３が固定され、この線状部材８３が収納ワゴン７の連結金具７８の左右の突片部７８ｂ，７８ｂと基部７８ａとの直交部分に掛られることで、牽引車８を収納ワゴン７に連結している。
また、上板８１２の他端部８１１ｂには、牽引車８の持ち運びに便利な大きさの貫通穴８４を設けている。牽引車８を持ち運ぶ際に、その貫通穴８４に指を引っかけて容易に持ち運ぶことができる。
このように構成された牽引車８の高さは、上板８１２の上面８１２ａに作業者、詳細には平均的な身長の大人が座って床４３ｃを蹴りやすい高さとすることが望ましく、例えば全高を約２５０ｍｍとする等の構成が挙げられる。
【００５３】
上記収納室構造によれば、天井高を平均的な身長の大人が例えば腰や頭を少し低くした状態で、あるいは椅子に座った状態等で物品の出し入れの作業を行える高さである約１．０〜１．４ｍとされ、出入口４５からの奥行きを約２．５ｍ以上とされた収納室Ｓ３内に、該収納室Ｓ３内に収納される収納物を移動可能にする収納ワゴン７と、該収納ワゴン７に連結可能に形成され、人が座ることでワゴン７を牽引可能である牽引車８とを備えるトレーラ６が設けられているので、収納室Ｓ３内において作業者は牽引車８に座って床４３ｃを蹴ることで、牽引車８を移動させることができ、これにより牽引車８により連結された収納ワゴン７を移動させることができる。
つまり、収納室Ｓ３内において収納された物品を作業者は牽引車８に座った状態、つまり楽な姿勢の状態で移動させることができ、収納室Ｓ３の出入口４５まで収納ワゴン７を牽引車８で牽引することにより収納室Ｓ３内外の物品の出し入れも容易に行うことができる。
【００５４】
なお、この牽引車８は人が上面に座って連結された収納ワゴン７を牽引する構成としたが、電動で移動するように構成してもよい。また、電動で駆動するように構成した場合、無線などにより移動自在としてもよい。
また、収納ワゴン７は、前記収納室に収納される物品を移動可能とするものであればどのように構成されてもよく、上面で物品を載置可能な台車であってもよい。なお、収納物移動体の本体部分を収納物を吊り下げて収納するように構成してもよい。
【００５５】
〔第３の実施の形態〕
図１２〜図１４に本発明に係る収納室構造では、収納室Ｓ４と、該収納室Ｓ４内に配置され、物品を載置して前記出入口４５から奥行き方向に床上を前後に移動自在な収納物移動体しての台車９と、台車９にループ状に取り付けられた柔軟性を有する長尺のロープ（線状部材）９１と、収納室Ｓ４の奥行き側の壁の内面に取り付けられロープ９１が掛けられた滑車部９２等とを備える。
この収納室Ｓ４は、第１の実施の形態の収納室Ｓ１と比較して、収納室Ｓ１の床部に形成された収納ワゴンの移動を案内する案内溝部５６が形成されておらず、それに代えて、床４３ｄに出入口４５から奥行き方向に向かって台車の案内溝（案内部）４９が形成されている構成が異なり、その他の構成は上述した収納室Ｓ１と略同様に構成されている。
【００５６】
つまり、この収納室Ｓ４は、収納室階床４３の一部４３ｄの上方に離間してスキップ床３１が設けられ、前記床４３とスキップ床３１との間に外壁１２，１３、内壁１４、仕切り壁４４が設けられ、この壁１２，１３、１４，４４と前記床４３（詳細には収納室階床４３の床部分４３ｄ）と前記スキップ床３１とで囲まれた空間である。そして、この収納室Ｓ４を形成する仕切り壁４４に前記収納室Ｓ３への出入口４５が設けられ、前記収納室Ｓ３は、天井高を約１．０〜１．４ｍ、前記出入口４５からの奥行きを約２．５ｍ以上とされたものとなっている。
【００５７】
収納室Ｓ４の床４３ｄには、出入口４５から奥行き方向に向かって延在し、台車の移動を案内する案内溝４９が設けられ、この案内溝４９の略延長線状の奥行き側の壁の内面に滑車部９２が取り付けられている。滑車部９２はロープ９１が掛けられ回動する滑車と滑車を軸を中心に回動自在に支持するとともに収納室Ｓ４の奥行き側の内壁に固定される固定部９２ａとを備え、固定部９２ａは板状材を屈曲させて断面Ｌ字状に形成されてなり、この直交する一片が奧側の内壁に固定される固定板となり、他片が滑車を回動自在に固定するものとなっている。なお、滑車部９２の滑車の回転軸は、案内溝４９の延在方向と直交するものとなっている。この滑車部９２の滑車はロープ９１を容易に掛けることができる。
【００５８】
台車９は、図１３〜図１５に示すように、四角形の木板材によって形成された物を載せるための台盤９４と、その台盤９４の下面９４ａの四つの角付近に取り付けられる四つのキャスター９５等とを備える。
キャスター９５の数は、少なくとも３つ必要であるが、台盤の上に荷物を載せることを考慮すれば、４つ以上が望ましい。そして、これらキャスター９５は案内溝に内嵌し、該案内溝に沿って移動自在となっている。
【００５９】
また、台盤９４には、前後端部にそれぞれ、上方に開口して平面視円状の切欠部９４ｂ，９４ｃが形成され、また、前後端面には、それぞれの切欠部９４ｂ，９４ｃ内部に連通する前後穴９４ｄ，９４ｅが形成されている。
これら前後穴９４ｄ，９４ｅに外方からロープ９１の両端部がそれぞれ挿入され、切欠部９４ｂ，９４ｃ内には、前後端面から挿入されたロープ９１の両端部がそれぞれ接続され、該ロープ９１の巻き取り繰り出しが自在な巻き取り装置９６，９７が設けられている。
【００６０】
巻き取り装置９６，９７は、前後穴９４ｄ，９４ｅを介してロープ９１を繰り出したり、巻き取ったりすることができるものであればどのように構成されていてもよい。なお巻き取り装置９６，９７は同様に構成されたものである。
ここでは、巻き取り装置９６，９７は、切欠部９４ｂ，９４ｃ内で鉛直軸を中心に回転自在に取り付けられ、回転することで前後穴９４ｄ，９４ｅを介してロープ９１を巻き取る円盤状のリール部９６ａと、リール部９６ａの上面に偏心した箇所に立設された操作桿９６ｂ等とを備える。この操作桿９６ｂを円周方向に回転させることで、リール部９６ａが回転し、ロープ９１の巻き取りが可能となる。また、ロープ９１を繰り出す際には、前後端面側からロープ９１を引くことで、リール部からロープ９１を所定長さ引き出すことができる。また、巻き取り装置９６，９７にはそれぞれ、図示しないストッパを備え、このストッパにより繰り出したロープ９１を固定することができるものとなっている。
【００６１】
そして、ロープ９１は、台盤９４の後穴９４ｅから奥行き方向に導出されて、滑車部９２に掛けられて、出入口４５方向に向かって延在し、台盤９４の下部に取り付けられた案内管９４ｇに挿通されて出入口４５を通過し、収納室Ｓ４に隣接する台所まで延出されている。そして、収納室階居室である台所の床上４３にて折り返された後、台盤９４の前穴に挿入されるように配置されている。つまり、ループ状のロープ９１の一部９１ｊが出入口４５から外方に延出して配置された状態となっている。ロープ９１の一部９１ｊが出入口４５から導出され、収納室Ｓ４の出入口４５の外、即ち収納室Ｓ４階居室部分である台所にて作業者が作業できるようになっている。出入口４５から導出されるロープ９１の長さは、台車の全長よりも長くすることが好ましい。台車９の全長より長い場合、ロープ９１の操作により台車９を台所４１ａまで移動させることが可能となる。
なお、このロープ９１の一部９１ｊを出入口４５近傍に配置されていてもよい。ロープ９１の一部９１ｊが配置される出入口４５近傍とは、収納室Ｓ４の出入口４５の外、即ち収納室Ｓ４階居室部分である台所から作業者が手が届く箇所である。
【００６２】
次に、台車を備えた収納室Ｓ４構造における動作を説明する。
収納室Ｓ４内に、配置された台車９は、台所である収納室Ｓ４階居室からロープの一部９１ｊを操作することで、出入口から奥行き方向に自在に移動させることができる。つまり、台所の床４３にまで延出されたロープ９１の一部９１ｊにおいて、台車９の前端面側から導出された部分（図１４で示す符号９１ｋ部分）を引く（図１４で示す矢印Ａ方向に引く）ことで、台車は出入口方向（矢印Ａ’方向）に移動させ、収納室Ｓ４階居室である台所まで移動させることができる。これにより台所において台車に物品を載置させたり、台車９に既に載置された物品を台所に運び出すことができる。
【００６３】
また、ロープ９１の一部９１ｊにおいて、滑車部側に延在する部分（図１４で示す符号９１ｌ部分）を引く（図１４で示す矢印Ｂ方向に引く）ことで、滑車部９２側に延在するロープ９１は、その一端部が取り付けられた台車９を後方つまり、奥行き方向に引くことになり、台車９は奥行き方向（図１４で示す矢印Ｂ’方向）に移動する。これにより、台所において物品を載置した台車９を、収納室Ｓ４内に移動させて、物品を収納させることができるとともに、台車９を用いて、台車９が台所内にある状態のときに、収納室Ｓ４内に収納された物品を収納室Ｓ４外に搬出する場合、台車９を収納室Ｓ４内に移動させ、収納室Ｓ４内に収納された物品を台車に載せることができる。
【００６４】
そして、収納室Ｓ４内で物品が載せられた台車９は、上述したようにロープ９１の一部９１ｊで、台車９の前端面に至る側のロープ部分９１ｋを引くことで、台車を出入口４５側に移動させ、出入口４５を介して台車９を台所内に移動させることができる。なお、この実施の形態では、出入口４５から台所となる収納室階居室４１の床４３上に導出されるロープ９１の長さは、台車の長さＣ＋ロープ９１を操作容易な長さＤとしている。ロープ９１を操作可能な長さＤとは、作業者が、滑車部側に延在する部分９１ｌや台車９の前面に至る部分９１ｋを引っ張る際に容易にその動作を行うことができる長さ引っ張りやすい長さであり、ここでは、台車９の全長の約１．５倍以上の長さとしている。
【００６５】
つまり、上記収納室構造によれば、天井高を平均的な身長の大人が例えば腰や頭を少し低くした状態で、あるいは椅子に座った状態等で収納室Ｓ１内で、物品の出し入れの作業を行える高さである約１．０〜１．４ｍとされ、出入口４５からの奥行きを約２．５ｍ以上とされた収納室Ｓ４内に備えられた台車９が、床４３ｄ上に、収納物（物品）を載置して出入口４５から奥行き方向に前後に移動自在であり、この台車９には、収納室Ｓ４の奥行き側の外壁１２の内面に取り付けられた滑車部９２に掛けられるとともに、その一部９１ｊが出入口４５外に延出された柔軟性を有する長尺のロープ９１がループ状に取り付けられているので、ロープ９１の一部９１ｊにおいて、滑車部９２に掛けられた側の部分９１ｌを出入口側に引っ張る、つまり手繰ることで台車９を出入口から離間する方向に移動させることができるとともに、滑車部９２に掛けられていない側のロープ部分９１ｋを出入口側に引っ張る、つまり手繰ることで、台車９を出入口４５側に移動させることができる。
【００６６】
そして、ロープ９１の一端部９１ｊが出入口４５を介して収納室Ｓ４外の台所４１ａに延出されていることから作業者は出入口４５の外、つまり収納室Ｓ４外の床である台所の床４３上で、ロープ９１の一部９１ｊを介して台車９の移動を操作することができ、この台車９を介して収納室Ｓ４への物品の出し入れを容易に行うことができる。また、ロープ９１は出入口４５から収納室Ｓ４の外に台車９の全長の約１．５倍以上長く延出していることから、作業者は、台車９を台所内まで移動させることができ、これにより台所で台車９への物品の積み卸しを楽な姿勢で行うことができる。なお、このロープ９１の一部が出入口４５近傍に配置されたものである場合、上述した動作と同様の動作を行う、すなわち、ロープの滑車部９２に掛けられた側の部分９１ｌや、滑車部９２に掛けられていない側のロープ部分９１ｋを作業者側に引っ張る操作を行うことで台車９を収納室Ｓ４内の奧側から出入口４５近傍まで移動させることができる。これにより台所、すなわち収納室Ｓ４に隣接する収納室階居室から台車９への物品の積み卸しを行うことができ、よって、作業者は台車９を用いることで、比較的楽な姿勢で収納室Ｓ４と台所間の物品の移動を容易に行うことができるものとなる。
【００６７】
また、ロープ９１は、台車９に巻き取り自在な巻き取り装置９６，９７を介してループ状に取り付けられているので、ロープ９１を滑車部９２から外して、巻き取り装置９６，９７によりロープ９１を巻き取ることで、台車９を収納室外などにおいて物品を載せて運搬するものとして利用することができる。さらに、案内溝４９により、開口部から奥行き方向に移動する台車９の移動をより円滑に行うことができる。また、他の収納室などの出入口から奥行き側に配置される内壁面に上述した滑車部９２と同様の滑車部、または、ロープが摺動可能に掛けられ、掛けたロープを折り返しできる引っ掛け部材などを取りつけて、これら滑車部または引っ掛け部材に台車９のロープ９１を掛けてるとともにロープの一部を収納室外に延出させることにより、他の収納室内への物品の搬入、搬出を台車９を介して収納室外から容易に楽な姿勢で行うことができる。
【００６８】
なお、上記第３の実施の形態では、収納室Ｓ４の備える台車９に代えて、物品を載置して収納可能なワゴン、キャスター付きのキャビネットなどの収納家具としてもよい。また、台車９に載置される物品は、該物品を吊り下げ可能な吊り下げ部材により吊り下げ、この吊り下げ部材ごと前記台車に載置されてもよい。なお、このときの吊り下げ部材は台車と一体的に設けられても良い。
また、上記各実施の形態では、収納室Ｓ１，Ｓ３，Ｓ４の出入口４５は、前記収納室Ｓ１，Ｓ３，Ｓ４に隣接する収納室階居室４１とを仕切る壁４４に設けた構成としたがこれに限らず、収納室Ｓ１，Ｓ３，Ｓ４は廊下等に隣接して設け、この廊下との仕切り壁に収納室Ｓ１，Ｓ３，Ｓ４の出入口４５を設けた構成としてもよい。このときの廊下の床面と収納室Ｓ１，Ｓ３，Ｓ４の床面は同床レベルのものであることは勿論である。
【００６９】
【発明の効果】
請求項１記載の発明によれば、平均的な身長の大人が例えば腰や頭を少し低くした状態で出入口を介して物品の出し入れの作業を行われる大きさの収納室に、物品を収納する際に、前記収納物移動体５を前記出入口を略閉塞するように移動させることで、出入口４５の外側から出入口４５を介して前記収納物移動体に物品の出し入れを容易に行うことができる。つまり、収納室に物品を搬入あるいは、収納室から物品を搬出する際に、頭や腰などを低くすることなく、楽な姿勢で容易に行うことができる。
【００７０】
請求項２記載の発明によれば、請求項１記載の発明と同様の効果を得ることができるとともに、前記出入口が設けられた壁の前記収納室側に、且つ前記出入口の側方に配置され、前記出入口が設けられた壁に沿って前記出入口内にのみ移動する前記収納物移動体の備えるキャスターを円滑に案内することができ、つまりは前記収納物移動体の移動を円滑に案内することができる。
【００７１】
請求項３記載の発明によれば、前記収納室内において作業者は牽引車に座って床を蹴ることで、牽引車を移動させることができ、これにより牽引車により連結された前記収納物移動体を移動させることができる。これにより、前記収納室内において収納された物品を作業者は前記牽引車に座った状態、つまり楽な姿勢の状態で移動させることができ、前記収納室の出入口まで前記収納物移動体を牽引車で牽引することにより前記収納室内外の物品の出し入れも容易に行うことができる。
【００７２】
請求項４記載の発明によれば、前記線状部材の一部において、滑車部に掛けられた側の部分を出入口側に引っ張る、つまり手繰ることで前記収納物移動体を前記出入口から離間する方向に移動させることができるとともに、前記滑車部に掛けられていない側の線状部材部分を出入口側に引っ張る、つまり手繰ることで、前記収納物移動体を前記出入口側に移動させることができる。
前記線状部材の一端部は前記出入口近傍若しくは、出入口を介して前記収納室外に延出されていることから作業者は出入口の外から前記線状部材の一部を介して収納物移動体の移動を操作することができ、この収納物移動体を介して収納室への物品の出し入れが行えるので、を頭や腰を低くして前記出入口を介して物品を収納室へ出し入れする必要がなく楽な姿勢で容易に行うことができる。
【００７３】
請求項５記載の発明によれば、請求項４記載の発明と同様の効果を得ることができるとともに、前記巻き取り装置により前記線状部材を巻き取ることで、前記収納物移動体を収納室外などにおいて物品を載せて運搬するものとして利用することができる。
【００７４】
請求項６記載の発明によれば、請求項４または５記載の発明と同様の効果を得ることができるとともに、前記開口部から奥行き方向に移動する収納物移動体の移動をより円滑に行うことができる。
【００７５】
請求項７記載の発明によれば、請求項１〜６のいずれか一項の発明と同様の効果を得ることができるとともに、前記居室から前記出入口を介して前記収納室への物品の出し入れを楽な姿勢で容易に行うことができる。
【図面の簡単な説明】
【図１】本発明に係る収納室構造を備えた建物の１階部分の間取り図である。
【図２】同建物の蔵階部分の間取り図である。
【図３】同建物の２階部分の間取り図である。
【図４】同建物の概略構成を説明する建物の収納室部分を含む概略立面図である。
【図５】同建物の備える収納室Ｓ１を示す図であり、図２に示す収納室の拡大図である。
【図６】図５に示す収納室の備える収納ワゴンを示す図であり、（ａ）は同収納ワゴンの正面図、（ｂ）は同収納ワゴンの右側面図である。
【図７】収納室を収納室階居室側から見た図である。
【図８】本発明に係る収納室構造の第２の実施の形態を示す図であり、収納室Ｓ３の概略平面断図である。
【図９】図８で示す収納室の備えるトレーラの収納ワゴンを示す図であり、（ａ）は同収納ワゴンの正面図、（ｂ）は同収納ワゴンの平面図である。
【図１０】図８で示す収納室の備えるトレーラの牽引車を示す図であり、（ａ）は牽引車の正面図、（ｂ）は同牽引車の平面図である。
【図１１】図８に示す収納室におけるトレーラの使用状態を示す図である。
【図１２】本発明に係る収納室構造の第３の実施の形態を示す図であり、収納室Ｓ４の概略平面断図である。
【図１３】同収納室の概略斜視図である。
【図１４】同収納室の概略側断面図である。
【図１５】図１２に示す収納室の備える台車を示す図である。
【符号の説明】
１　　　建物
５，７　　　収納ワゴン（収納物移動体）
６　　　トレーラ
８　　　牽引車
９　　　台車（収納物移動体）
１２　　　外壁
１３　　　外壁
１４　　　内壁
１５　　　内壁
３１　　　床部（スキップ床）
４１　　　収納室階居室（居室）
４１ａ　　　台所
４３　　　収納室階床４３（床）
４３ａ，４３ｃ，４３ｄ　収納室の床（床の一部）
４４　　　仕切り壁
４５　　　出入口
４９　　　案内溝（案内部）
５１　　　本体部
５２　　　キャスター
５６　　　案内溝部（案内部）
７７　　　キャスタ
７８　　　連結金具
８１　　　本体部
８２　　　キャスター部
９１　　　ロープ（線状部材）
９１ｊ　　ロープの一端部（ループ状に取り付けられた線状部材の一端部）
９２　　　滑車部
９５　　　キャスター
９６，９７　　　巻き取り装置
Ｓ１，Ｓ２，Ｓ３，Ｓ４　　　収納室
【図１】
2004100376.tif 000003
【図２】
2004100376.tif 000004
【図３】
2004100376.tif 000005
【図４】
2004100376.tif 000006
【図５】
2004100376.tif 000007
【図６】
2004100376.tif 000008
【図７】
2004100376.tif 000009
【図８】
2004100376.tif 000010
【図９】
2004100376.tif 000011
【図１０】
2004100376.tif 000012
【図１１】
2004100376.tif 000013
【図１２】
2004100376.tif 000014
【図１３】
2004100376.tif 000015
【図１４】
2004100376.tif 000016
【図１５】
2004100376.tif 000017